(57)【要約】【課題】ライブビュー表示に対して絞りの影響による周辺光量低下の様子を含めた表示（画像）を追加することで、実際に撮影される被写体の画像をイメージすることを可能とした撮像装置を提供する。【解決手段】撮像装置は、撮影レンズ３１０を介して結像された被写体像を撮像信号に変換する撮像素子１４、画像表示部２８、システム制御回路５０を備える。システム制御回路５０は、撮像素子１４における露光量を演算し、露光量に基づいて、撮影で用いる絞り値に応じた撮影レンズ３１０の周辺の光量低下を表す光量データを作成し、光量データに基づいて撮像素子１４の撮像信号を補正する。更に、システム制御回路５０は、撮影レンズ３１０の周辺の光量低下の様子をシミュレートして画像表示部２８に表示する。【選択図】図４
2009182787.tif 000002
【特許請求の範囲】
【請求項１】
撮影前の被写体像を表示可能な表示手段と、撮影レンズを介して結像された被写体の光学像を電気信号に変換する撮像素子を備えた撮像装置において、
前記撮像素子における露光量を演算する演算手段と、
前記演算手段により演算された露光量に基づいて、絞り情報に応じた前記撮影レンズの周辺の光量低下を表す光量データを作成し、前記光量データに基づいて前記撮像素子の出力信号を補正する処理手段と、
前記撮影レンズの周辺の光量低下の様子を前記表示手段に表示する制御手段と、を備えることを特徴とする撮像装置。
【請求項２】
前記処理手段は、前記絞り情報としての静止画像の撮影で用いる絞り値に応じた前記撮影レンズの周辺の光量低下を表す光量データを作成し、前記光量データに基づいて前記撮像素子の出力信号を補正するための補正データを生成することを特徴とする請求項１記載の撮像装置。
【請求項３】
前記制御手段は、前記撮像素子の出力信号に対して前記補正データにより補正を加えた状態と、補正を加えない状態とを、前記表示手段に交互に表示することを特徴とする請求項２記載の撮像装置。
【請求項４】
前記制御手段は、前記撮像素子の出力信号に対して前記補正データにより補正を加えた状態と、補正を加えない状態とを、画像の拡大表示を行う時と画像の全体表示を行う時とで切り替えて前記表示手段に表示することを特徴とする請求項２記載の撮像装置。
【請求項５】
前記撮影レンズから入射する光量を調節する絞り機構の絞り値を設定する絞り込み手段を備え、
前記制御手段は、前記絞り込み手段により前記絞り機構の絞り値が絞り込まれた場合、絞り込みに伴う前記撮影レンズの周辺の光量低下の様子をシミュレートして前記表示手段に表示することを特徴とする請求項１記載の撮像装置。
【請求項６】
撮影前の被写体像を表示可能な表示手段と、撮影レンズを介して結像された被写体の光学像を電気信号に変換する撮像素子を備えた撮像装置の制御方法において、
前記撮像素子における露光量を演算する演算ステップと、
前記演算ステップにより演算された露光量に基づいて、絞り情報に応じた前記撮影レンズの周辺の光量低下を表す光量データを作成し、前記光量データに基づいて前記撮像素子の出力信号を補正する処理ステップと、
前記撮影レンズの周辺の光量低下の様子を前記表示手段に表示する制御ステップと、を有することを特徴とする制御方法。
【請求項７】
撮影前の被写体像を表示可能な表示手段と、撮影レンズを介して結像された被写体の光学像を電気信号に変換する撮像素子を備えた撮像装置の制御方法をコンピュータに実行させるプログラムにおいて、前記制御方法は、
前記撮像素子における露光量を演算する演算ステップと、
前記演算ステップにより演算された露光量に基づいて、絞り情報に応じた前記撮影レンズの周辺の光量低下を表す光量データを作成し、前記光量データに基づいて前記撮像素子の出力信号を補正する処理ステップと、
前記撮影レンズの周辺の光量低下の様子を前記表示手段に表示する制御ステップと、を有することを特徴とするプログラム。
【発明の詳細な説明】
【技術分野】
【０００１】
本発明は、撮影対象の被写体像を予め確認することが可能な撮像装置、制御方法、及びプログラムに関する。
【背景技術】
【０００２】
従来、撮影対象の被写体像（静止画像）を予め筐体背面部の表示部（液晶モニタ等）で確認することが可能なカメラがある。この種のカメラでは、撮影対象の被写体像と、確認画像（以下ライブビュー表示と表記）との差異を如何に少なくするかが問題となる。カメラのライブビュー表示等に関しては各種の技術が提案されている（例えば、特許文献１、特許文献２、特許文献３参照）。
【０００３】
特許文献１には、カメラの撮像光学系を構成するクイックリターンミラーによる部分的な光量落ちを補正するものとして、電子ファインダにおける被写体像の周辺輝度の低下を防止することが可能なカメラのファインダ装置が開示されている。
【０００４】
また、特許文献２には、ライブビュー表示を行う時に、絞りを撮影用の絞り値に絞ることで、撮影対象の被写体像とライブビュー画像との被写界深度を同一にするものが開示されている。
【０００５】
また、特許文献３には、絞り値を調整するための絞り込み釦が使用者により押された場合でも良好なライブビュー表示を取得可能としたカメラが開示されている。
【特許文献１】特開平６−１２５４８５号公報
【特許文献２】特開２００４−９６３９２号公報
【特許文献３】特開２００６−２７０４２６号公報
【発明の開示】
【発明が解決しようとする課題】
【０００６】
しかしながら、上述した特許文献１〜７記載の技術には下記のような問題があった。
【０００７】
特許文献１は、クイックリターンミラーによる部分的な光量低下を補正するものであり、レンズユニットの絞りによる周辺光量の低下を補正するものではなかった。
【０００８】
また、特許文献２は、ライブビュー表示を行う時に撮影用の絞り値に絞るものであり、絞りの開口径を大きくしたままライブビュー表示を行うことができる装置ではなかった。
【０００９】
また、特許文献３は、絞り込み釦が押された場合の動作に関するものであり、絞り込み釦を押さなくても表示画像をシミュレートできるものではなかった。
【００１０】
本発明の目的は、ライブビュー表示に対して絞りの影響による周辺光量低下の様子を含めた表示（画像）を追加することで、実際に撮影される被写体の画像をイメージすることを可能とした撮像装置、制御方法、及びプログラムを提供することにある。
【課題を解決するための手段】
【００１１】
上述の目的を達成するために、本発明は、撮影前の被写体像を表示可能な表示手段と、撮影レンズを介して結像された被写体の光学像を電気信号に変換する撮像素子を備えた撮像装置において、前記撮像素子における露光量を演算する演算手段と、前記演算手段により演算された露光量に基づいて、絞り情報に応じた前記撮影レンズの周辺の光量低下を表す光量データを作成し、前記光量データに基づいて前記撮像素子の出力信号を補正する処理手段と、前記撮影レンズの周辺の光量低下の様子を前記表示手段に表示する制御手段と、を備えることを特徴とする。
【発明の効果】
【００１２】
本発明によれば、撮影前の被写体像を確認するための表示に対して、絞りの影響による撮影レンズ周辺の光量低下の様子を含めた表示を行うことで、実際に撮影される被写体の画像をイメージすることが可能となる。
【発明を実施するための最良の形態】
【００１３】
以下、本発明の実施の形態を図面に基づいて説明する。
【００１４】
図１は、本発明の実施の形態に係る撮像装置の構成を示すブロック図である。
【００１５】
図１において、本実施の形態の撮像装置は、撮像装置本体１００に、記録媒体２００、レンズユニット３００、電源ユニット４００が着脱可能に装着されるデジタル一眼レフカメラとして構成されている。撮像装置本体１００は、シャッタ１２、撮像素子１４、画像処理回路２０、画像表示部２８、測距部４２、測光部４６、システム制御回路５０、ＯＶＦ／ＥＶＦ切替スイッチ６８等を備えている。
【００１６】
被写体の撮影に伴いレンズユニット３００の撮影レンズ３１０に入射した光線は、一眼レフ方式により絞り３１２、レンズマウント３０６及び１０６、ミラー１３０、シャッタ１２を介して導かれ、光学像として撮像素子１４に結像される。また、撮影レンズ３１０に入射した光線は、ミラー１３０、１３２を介して光学ファインダ１０４に導かれる。尚、ミラー１３２は、クイックリターンミラー或いはハーフミラーのどちらの構成でもよい。シャッタ１２は、撮像素子１４に対する露光量を制御する。撮像素子１４は、被写体の光学像を電気信号（撮像信号）に変換する。
【００１７】
Ａ／Ｄ変換器１６は、撮像素子１４から出力されるアナログの撮像信号をデジタルの撮像信号に変換する。タイミング発生回路１８は、撮像素子１４、Ａ／Ｄ変換器１６、Ｄ／Ａ変換器２６にクロック信号や制御信号を供給するものであり、メモリ制御回路２２及びシステム制御回路５０により制御される。画像処理回路２０は、Ａ／Ｄ変換器１６から出力されるデータ或いはメモリ制御回路２２から出力されるデータに対して所定の画素補間処理や色変換処理を行う。また、画像処理回路２０は、必要に応じて撮像した画像データを用いて所定の演算処理を行う。
【００１８】
画像処理回路２０で得られた演算結果に基づいてシステム制御回路５０がシャッタ制御部４０、測距部４２に対して制御を行い、ＴＴＬ（スルー・ザ・レンズ）方式のＡＦ（オートフォーカス）処理、ＡＥ（自動露出）処理、ＥＦ（フラッシュ調光）処理を行う。また、画像処理回路２０は、撮像した画像データを用いて所定の演算処理を行い、得られた演算結果に基づいてＴＴＬ方式のＡＷＢ（オートホワイトバランス）処理を行う。
【００１９】
本実施の形態では、撮像装置に測距部４２及び測光部４６を専用に備える構成としている。従って、光学ファインダ１０４により被写体を確認するＯＶＦ（Optical View Finder）機能の使用時は、測距部４２及び測光部４６を用いてＡＦ処理、ＡＥ処理、ＥＦ処理の各処理を行う。画像表示部２８に被写体の画像を表示することで被写体を確認するＥＶＦ（Electronic View Finder）機能の使用時は、画像処理回路２０を用いてＡＦ処理、ＡＥ処理、ＥＦ処理の各処理を行う。
【００２０】
メモリ制御回路２２は、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いは、Ａ／Ｄ変換器１６のデータが直接メモリ制御回路２２を介して、画像表示メモリ２４或いはメモリ３０に書き込まれる。画像表示メモリ２４は、表示用の画像データを記憶する。Ｄ／Ａ変換器２６は、デジタルの画像データをアナログの画像データに変換する。
【００２１】
画像表示部２８（表示手段）は、ＴＦＴ（Thin Film Transistor） ＬＣＤ（Liquid Crystal Display）等から構成されており、撮影前の被写体像を表示可能である。画像表示メモリ２４に書き込まれた表示用の画像データは、Ｄ／Ａ変換器２６を介して画像表示部２８により表示される。ＥＶＦ機能は、撮像素子１４により撮像した画像データを画像表示部２８により逐次表示することで実現される。また、画像表示部２８は、システム制御回路５０の指示により任意に表示をＯＮ／ＯＦＦすることが可能である。画像表示部２８の表示をＯＦＦにした場合には、撮像装置の電力消費を低減することができる。
【００２２】
メモリ３０は、撮影した静止画像データや動画像データを格納するものであり、所定枚数の静止画像データや所定時間の動画像データを格納するのに十分な記憶量を備えている。これにより、複数枚の静止画像を連続して撮影する連写撮影やパノラマ撮影の場合にも、メモリ３０に対して高速かつ大量の画像データの書き込みを行うことが可能となる。また、メモリ３０は、システム制御回路５０の作業領域としても使用することが可能である。
【００２３】
圧縮・伸長回路３２は、適応離散コサイン変換（ＡＤＣＴ）等により画像データの圧縮処理或いは伸長処理を行う。圧縮・伸長回路３２は、メモリ３０に格納された画像データを読み込んで圧縮処理或いは伸長処理を行い、処理を終えたデータをメモリ３０に書き込む。
【００２４】
シャッタ制御部４０は、測光部４６からの測光情報に基づいて絞り３１２を制御する絞り制御部３４０と連携しながらシャッタ１２を制御する。測距部４２は、ＡＦ処理を行うものであり、撮影レンズ３１０に入射した光線を一眼レフ方式により、絞り３１２、レンズマウント３０６及び１０６、ミラー１３０、不図示の測距用サブミラーを介して測距部４２に入射させる。これにより、光学像として結像された画像の合焦状態を測定することができる。
【００２５】
測光部４６は、ＡＥ処理を行うものであり、撮影レンズ３１０に入射した光線を、一眼レフ方式により、絞り３１２、レンズマウント３０６及び１０６、ミラー１３０及び１３２、不図示の測光用レンズを介して測光部４６に入射させる。これにより、光学像として結像された画像の露出状態を測定することができる。また、測光部４６は、フラッシュ４８と連携することによりＥＦ処理機能も有するものである。フラッシュ４８は、ＡＦ補助光の投光機能、フラッシュ調光機能も有する。
【００２６】
尚、ＥＶＦでは、撮像素子１４により撮像した画像データを画像処理回路２０で演算した演算結果に基づき、システム制御回路５０がシャッタ制御部４０、絞り制御部３４０、測距制御部３４２を制御し、ビデオＴＴＬ方式により露出制御とＡＦ制御を行う。このとき、測距部４２による測定結果と、撮像素子１４により撮像した画像データを画像処理回路２０で演算した演算結果とを共に用いてＡＦ制御を行ってもよい。また、測光部４６による測定結果と、撮像素子１４により撮像した画像データを画像処理回路２０で演算した演算結果とを共に用いて露出制御を行ってもよい。
【００２７】
システム制御回路５０（演算手段、処理手段、制御手段）は、撮像装置全体を制御するものであり、制御プログラムに基づいて後述の各フローチャートに示す処理を実行する。メモリ５２は、システム制御回路５０の動作用の定数、変数、制御プログラム等を記憶する。不揮発性メモリ５６は、電気的に消去・記録可能なメモリであり、例えばＥＥＰＲＯＭが用いられる。
【００２８】
表示部５４は、システム制御回路５０でのプログラムの実行に応じて、文字、画像、音声等を用いて動作状態やメッセージ等を表示する。表示部５４は、撮像装置本体１００の操作部近辺の視認し易い位置に単数或いは複数個所設置され、例えばＬＣＤ、ＬＥＤ、発音素子等の組み合わせにより構成される。また、表示部５４は、その一部の機能が光学ファインダ１０４内に設けられている。
【００２９】
操作系（６０、６２、６４、６６、６８、７０、７４）は、システム制御回路５０に対する各種指示の入力に用いるものであり、ダイアル、スイッチ、タッチパネル、視線検知によるポインティング、音声認識部等の単数或いは複数の組み合わせで構成される。
【００３０】
モードダイアルスイッチ６０は、自動撮影モード、シャッタ速度優先撮影モード、絞り優先撮影モード、焦点深度優先（デプス）撮影モード等の各機能撮影モードの切り替え設定に用いる。
【００３１】
シャッタスイッチＳＷ１・６２は、不図示のシャッタボタンの操作途中でＯＮとなる。このシャッタスイッチＳＷ１・６２がＯＮすると、撮影時のＡＦやＡＥの制御パラメータを確定させるための処理が行なわれる。シャッタスイッチＳＷ２・６４は、不図示のシャッタボタンの操作完了でＯＮとなる。シャッタスイッチＳＷ２・６４がＯＮすると、撮像素子１４から読み出した画像データを、Ａ／Ｄ変換器１６、画像処理回路２０、および、圧縮・伸長回路３２を介して、記録媒体２００に書き込む撮影処理が行われる。
【００３２】
再生スイッチ６６は、撮影モード状態において、撮像した画像データをメモリ３０或いは記録媒体２００から読み出して画像表示部２８により表示する再生動作の開始指示に用いる。ＯＶＦ／ＥＶＦ切替スイッチ６８は、使用するファインダの種類として、ＯＶＦ（光学ファインダ）、ＥＶＦ（電子ファインダ）のいずれかを選択する（切り替える）際に用いる。ＯＶＦ／ＥＶＦ切替スイッチ６８によりＯＶＦを選択した場合は、被写体像を光学ファインダ１０４により確認しながら撮影することができる。ＯＶＦ／ＥＶＦ切替スイッチ６８によりＥＶＦを選択した場合は、撮像素子１４により被写体を撮像して得た画像データに所定の処理を行い画像表示部２８に画像として表示することができる。
【００３３】
操作部７０は、メニューボタン、セットボタン、露出補正ボタン、日付／時間設定ボタン、および、画像表示部２８のＯＮ／ＯＦＦを設定する画像表示ＯＮ／ＯＦＦスイッチ等の各種のボタン、スイッチ等から構成される。
【００３４】
電源スイッチ７２は、撮像装置の電源ＯＮ／ＯＦＦの切り替えに用いる。また、電源スイッチ７２は、撮像装置本体１００に接続されたレンズユニット３００、記録媒体２００、外部ストロボ等の各種付属ユニットの電源ＯＮ／ＯＦＦの切り替えも可能である。
【００３５】
絞り込みスイッチ７４（絞り込み手段）は、表示部５４に表示されている絞り値になるようにレンズユニット３００の絞り３１２（絞り機構）の絞り値を調整する際に用いる。絞り３１２は、撮影レンズ３１０から入射する光量を調節する機構であり、撮影レンズ３１０の性能により設定できる絞り値が制限されるが、絞り値の上限及び下限を含む範囲内で任意に絞り値を設定することができる。
【００３６】
尚、本実施の形態では、絞り込みスイッチ７４による絞り値の調整の形態は任意であり、連続的に絞り値を調整できる形態、段階的に絞り値を調整できる形態のいずれでもよい。また、本実施の形態では、撮像装置に絞り込みスイッチ７４を装備した場合を例に挙げているが、レンズ鏡筒に設けた絞りリングを使用者が回転することで直接絞り値を調整してもよい。
【００３７】
電源制御部８０は、電池検出回路、ＤＣ−ＤＣコンバータ、通電するブロックを切り替えるスイッチ回路等により構成されている。電源制御部８０は、撮像装置本体１００への電池の装着の有無、電池の種類、電池残量の検出を行い、検出結果及びシステム制御回路５０の指示に基づいてＤＣ−ＤＣコンバータを制御し、必要な電圧を必要な期間、記録媒体２００を含む各部へ供給する。コネクタ８２、８４は、撮像装置本体１００と電源８６を電気的に接続する。電源８６は、一次電池（アルカリ電池、リチウム電池等）、二次電池（ＮｉＣｄ電池、ＮｉＭＨ電池、Ｌｉ電池等）、ＡＣアダプタ等から構成される。
【００３８】
インタフェース９０は、記録媒体２００と撮像装置本体１００との間のインタフェースを司る。コネクタ９２は、撮像装置本体１００と記録媒体２００を電気的に接続する。記録媒体着脱検知部９８は、コネクタ９２に記録媒体２００が装着されているか否かを検知する。尚、記録媒体装着用のインタフェース及びコネクタの系統数は単数或いは複数のいずれでもよい。また、異なる規格のインタフェース及びコネクタを組み合わせてもよい。インタフェース及びコネクタとしては、ＰＣＭＣＩＡカードやＣＦ（コンパクトフラッシュ（登録商標））カード等の規格に準拠したものを用いて構成してよい。
【００３９】
光学ファインダ１０４は、撮影レンズ３１０に入射した光線を一眼レフ方式によって絞り３１２、レンズマウント３０６及び１０６、ミラー１３０及び１３２を介して導き、光学像として結像させ表示する。これにより、画像表示部２８による電子ファインダ機能を使用すること無しに、光学ファインダ１０４のみを用いて撮影を行うことが可能である。光学ファインダ１０４内には、表示部５４の一部の機能（例えば、合焦表示、手振れ警告表示、フラッシュ充電表示、シャッタ速度表示、絞り値表示、露出補正表示等）が設けられている。
【００４０】
インタフェース１２０は、撮像装置本体１００とレンズユニット３００との間のインタフェースを司る。コネクタ１２２は、撮像装置本体１００とレンズユニット３００を電気的に接続する。コネクタ１２２は、撮像装置本体１００とレンズユニット３００との間で制御信号、状態信号、データ信号等を伝え合うと共に、各種電圧に対応した電流を供給する機能も備えている。また、コネクタ１２２は、電気通信のみならず、光通信、音声通信等を行う構成としてもよい。
【００４１】
記録媒体２００は、メモリカード（或いは磁気ディスク装置）として構成されている。記録媒体２００は、半導体メモリ素子（或いは磁気ディスク媒体）からなる記録部２０２、撮像装置本体１００とのインタフェース２０４、撮像装置本体１００と電気的な接続を行うコネクタ２０６を備えている。
【００４２】
レンズユニット３００は、交換レンズタイプのユニットである。レンズマウント３０６は、レンズユニット３００を撮像装置本体１００と機械的に結合する。レンズマウント３０６内には、レンズユニット３００と撮像装置本体１００を電気的に接続する各種機構が装備されている。インタフェース３２０は、レンズユニット３００と撮像装置本体１００との間のインタフェースを司る。
【００４３】
コネクタ３２２は、レンズユニット３００を撮像装置本体１００と電気的に接続する。コネクタ３２２は、レンズユニット３００と撮像装置本体１００との間で制御信号、状態信号、データ信号等を伝え合うと共に、各種電圧に対応した電流が供給される（或いは供給する）機能も備えている。また、コネクタ３２２は、電気通信のみならず、光通信、音声通信等を行う構成としてもよい。
【００４４】
絞り制御部３４０は、測光部４６からの測光情報、または撮像素子１４により撮像した画像データを画像処理回路２０で演算した演算結果に基づいて、シャッタ制御部４０と連携しながら絞り３１２を制御する。測距制御部３４２は、撮影レンズ３１０のフォーカシングを制御する。レンズシステム制御回路３５０は、レンズユニット３００全体を制御するものであり、メモリや不揮発性メモリの機能も備えている。メモリは、動作用の定数、変数、プログラム等を記憶する。不揮発性メモリは、レンズユニット３００固有の番号等の識別情報、管理情報、開放絞り値や最小絞り値、焦点距離等の機能情報、現在や過去の各設定値等を保持する。
【００４５】
次に、上記構成を有する本実施の形態の撮像装置の動作について図２〜図６を参照しながら説明する。
【００４６】
図２、図３は、撮像装置の設定・表示・撮影・記録処理の主ルーチンを示すフローチャートである。
【００４７】
図２、図３において、使用者により撮像装置の電池交換等が行われ電源が投入されると、撮像装置のシステム制御回路５０は、各種フラグや制御変数等を初期化し、撮像装置の各部において必要な所定の初期設定を行う（ステップＳ１０１）。各種フラグには、ＯＶＦフラグ、ＥＶＦフラグ、絞り固定フラグ、フラッシュフラグ等があり、詳細は後述する。次に、システム制御回路５０は、電源スイッチ７２が設定されている位置（電源ＯＦＦ／電源ＯＮ）を判断する（ステップＳ１０２）。
【００４８】
電源スイッチ７２が電源ＯＦＦに設定されていたならば、システム制御回路５０は、各表示部の表示を終了状態に変更し、各種フラグや制御変数等を含む必要なパラメータ、設定値、設定モードを不揮発性メモリ５６に記録する。更に、システム制御回路５０は、電源制御部８０により画像表示部２８を含む撮像装置各部の不要な電源を遮断する等の所定の終了処理を行う（ステップＳ１０３）。その後、ステップＳ１０２に戻る。
【００４９】
電源スイッチ７２が電源ＯＮに設定されていたならば、システム制御回路５０は、電源制御部８０により電源８６の残容量や動作状況が撮像装置の動作に問題があるか否かを判断する（ステップＳ１０４）。電源８６の残容量や動作状況が撮像装置の動作に問題があるならば、システム制御回路５０は、表示部５４を用いて画像や音声により所定の警告表示を行った後（ステップＳ１０５）、ステップＳ１０２に戻る。
【００５０】
電源８６の残容量や動作状況が撮像装置の動作に問題が無いならば、システム制御回路５０は、モードダイアル６０が設定されている位置を判断する（ステップＳ１０６）。モードダイアル６０が撮影モードに設定されていたならば、ステップＳ１０８に進む。モードダイアル６０がその他のモードに設定されていたならば、システム制御回路５０は、設定されたその他のモードに応じた処理を実行した後（ステップＳ１０７）、ステップＳ１０２に戻る。
【００５１】
次に、システム制御回路５０は、撮像装置本体１００に記録媒体２００が装着されているか否かを判断すると共に、記録媒体２００が装着されている場合は記録媒体２００に記録された画像データの管理情報を取得する。更に、システム制御回路５０は、記録媒体２００の動作状態が撮像装置の動作（特に記録媒体２００に対する画像データの記録再生動作）に問題があるか否かを判断する（ステップＳ１０８）。
【００５２】
記録媒体２００の動作状態が撮像装置の動作に問題があるならば、システム制御回路５０は、表示部５４を用いて画像や音声により所定の警告表示を行った後（ステップＳ１０５）、ステップＳ１０２に戻る。記録媒体２００の動作状態が撮像装置の動作に問題が無いならば、システム制御回路５０は、使用するファインダ（ＯＶＦ（光学ファインダ）／ＥＶＦ（電子ファインダ））を選択するＯＶＦ／ＥＶＦ切替スイッチ６８の設定状態を調べる（ステップＳ１０９）。
【００５３】
ＯＶＦ／ＥＶＦ切替スイッチ６８によりＯＶＦが選択されていたならば、システム制御回路５０は、ＯＶＦが選択されたことを示すＯＶＦフラグを設定する（ステップＳ１１０）。ＯＶＦ／ＥＶＦ切替スイッチ６８によりＥＶＦが選択されていたならば、システム制御回路５０は、ＥＶＦが選択されたことを示すＥＶＦフラグを設定する（ステップＳ１１１）。システム制御回路５０は、該当するフラグの設定を終えた後、ステップＳ１１２に進む。尚、ＯＶＦフラグ、ＥＶＦフラグは、システム制御回路５０の内部メモリ或いはメモリ５２に記憶される。
【００５４】
使用者はＯＶＦ／ＥＶＦ切替スイッチ６８を操作することにより、次のどちらかの機能を選択することができる。１つは光学ファインダ１０４により被写体を確認しながら撮影する機能（ＯＶＦ機能）である。もう１つは、撮像素子１４により被写体を撮像して得た画像データに所定の処理を行って、随時、画像表示部２８に画像を表示する機能（ＥＶＦ機能）である。ＥＶＦ機能により被写体の画像を表示して被写体を確認する場合は、撮像素子１４により所定間隔（フレームレート）で連続して被写体を撮像し、画像表示部２８にリアルタイムの動画を表示する。
【００５５】
システム制御回路５０は、表示部５４を用いて画像や音声により撮像装置の各種設定状態の表示を行う（ステップＳ１１２）。尚、システム制御回路５０は、画像表示部２８の画像表示設定がＯＮであるならば、画像表示部２８も用いて画像や音声により撮像装置の各種設定状態の表示を行う。
【００５６】
次に、システム制御回路５０は、使用者によりシャッタスイッチＳＷ１が押下されたか否か（ＯＮ／ＯＦＦ）を判断する（ステップＳ１２１）。シャッタスイッチＳＷ１が押下されていないならば、ステップＳ１０２に戻る。シャッタスイッチＳＷ１が押下されたならば、システム制御回路５０は、測距部４２により測距処理を行うことで撮影レンズ３１０の焦点を被写体に合わせる。更に、システム制御回路５０は、測光部４６により測光処理を行うことで絞り値及びシャッタ時間を決定し（ステップＳ１２２）、ステップＳ１２３に進む。尚、測光処理では必要ならばフラッシュ４８を発光させる設定も行う。
【００５７】
次に、システム制御回路５０は、ＯＶＦフラグ／ＥＶＦフラグの状態を判断する（ステップＳ１２３）。ＯＶＦフラグが設定されているならば、ステップＳ１２５に進む。ＥＶＦフラグが設定されているならば、システム制御回路５０は、撮像素子１４により被写体像を撮像し画像表示部２８に画像を所定間隔で更新しながら表示するためのＥＶＦ表示処理を行い（ステップＳ１２４）、ステップＳ１２５に進む。ステップＳ１２４のＥＶＦ表示処理の詳細については図４を用いて後述する。
【００５８】
上記のようにステップＳ１２３においてＥＶＦフラグが設定されていると判断した場合は、ステップＳ１２４においてＥＶＦ機能により画像を表示するＥＶＦ表示処理を行う。これにより、ステップＳ１２５において使用者によりシャッタスイッチＳＷ２が押下されて撮影が行われた際に、撮影した画像の確認を容易に行うことが可能となる。
【００５９】
次に、システム制御回路５０は、使用者によりシャッタスイッチＳＷ２が押下されたか否か（ＯＮ／ＯＦＦ）を判断する（ステップＳ１２５）。シャッタスイッチＳＷ２が押下されていないならば、システム制御回路５０は、シャッタスイッチＳＷ１が放されるまで（ステップＳ１２６でＯＮ）、現在の処理を繰り返す。シャッタスイッチＳＷ１が放されたならば（ステップＳ１２６でＯＦＦ）、ステップＳ１０２に戻る。
【００６０】
シャッタスイッチＳＷ２が押下されたならば、システム制御回路５０は、メモリ３０の画像記憶バッファ領域内に撮像した新たな画像データを記憶可能な領域があるか否かを判断する（ステップＳ１２７）。メモリ３０の画像記憶バッファ領域内に新たな画像データを記憶可能な領域が無いならば、システム制御回路５０は、表示部５４を用いて画像や音声により所定の警告表示を行った後（ステップＳ１２８）、ステップＳ１０２に戻る。
【００６１】
メモリ３０の画像記憶バッファ領域内に新たな画像データを記憶可能な領域が無い状態の例としては、メモリ３０の画像記憶バッファ領域内に記憶可能な画像データに相当する最大枚数の撮影を行った直後の次の状態がある。メモリ３０から読み出して記憶媒体２００に書き込むべき最初の画像データが記録媒体２００に未記録の状態であり、まだ画像１枚分の空き領域もメモリ３０の画像記憶バッファ領域に確保できない状態である。
【００６２】
尚、撮像した画像データを圧縮処理してからメモリ３０の画像記憶バッファ領域に記憶する場合は、圧縮した後の画像データ量が圧縮モードの設定に応じて異なることを考慮する。そのため、メモリ３０の画像記憶バッファ領域内に画像データを記憶可能な領域があるか否かをステップＳ１２７において判断することになる。
【００６３】
メモリ３０の画像記憶バッファ領域内に新たな画像データを記憶可能な領域があるならば、システム制御回路５０は、撮像素子１４において撮像により所定時間蓄積した撮像信号を撮像素子１４から読み出す。更に、システム制御回路５０は、メモリ３０の画像記憶バッファ領域に撮像した画像データを書き込む撮影処理を実行する（ステップＳ１２９）。メモリ３０に対する画像データの書き込みは、Ａ／Ｄ変換器１６、画像処理回路２０、メモリ制御回路２２を介して、或いはＡ／Ｄ変換器１６から直接メモリ制御回路２２を介して行う。ステップＳ１２９の撮影処理の詳細については図６を用いて後述する。
【００６４】
システム制御回路５０は、撮影処理（ステップＳ１２９）を終えたならば、ＡＷＢ処理、ガンマ変換処理、色変換処理を含む各種現像処理を行う（ステップＳ１３０）。
【００６５】
一連の撮影の実行に伴い、システム制御回路５０は、メモリ３０の画像記憶バッファ領域に記憶した画像データを読み出し、インタフェース９０、コネクタ９２を介して記録媒体２００に書き込みを行う記録処理を開始する（ステップＳ１３１）。記録処理は、メモリ３０の画像記憶バッファ領域の空き画像部分に、撮影に伴い一連の処理を終えた画像データの書き込みが新たに行われる度に、その画像データに対して実行される。
【００６６】
尚、記録媒体２００に画像データの書き込みを行っている間、書き込み動作中であることを明示するため、表示部５４において例えばＬＥＤを点滅させる等の記録媒体書き込み動作表示を行う。
【００６７】
次に、システム制御回路５０は、使用者によりシャッタスイッチＳＷ１が押下された状態であるか否か（ＯＮ／ＯＦＦ）を判断する（ステップＳ１３２）。シャッタスイッチＳＷ１が放された状態であるならば、ステップＳ１０２に戻る。シャッタスイッチＳＷ１が押下された状態であるならば（ステップＳ１３２）、シャッタスイッチＳＷ１が放されるまで待機する。
【００６８】
図４は、撮像装置の上記設定・表示・撮影・記録処理におけるＥＶＦ表示処理（図３のステップＳ１２４）の詳細を示すフローチャートである。
【００６９】
図４において、まず、システム制御回路５０は、絞り３１２が固定されているか否かを確認するための（絞り３１２が絞られたことを示す）絞り固定フラグを初期化する（ステップＳ３０１）。更に、システム制御回路５０は、ミラー駆動部（不図示）によりミラー１３０をミラーアップすることで（ステップＳ３０２）、光線をシャッタ１２へ入射させ、撮像素子１４における電荷の蓄積を開始する（ステップＳ３０３）。ミラーアップは、ミラー１３０をミラーアップ位置（ミラー上昇位置）に移動する動作である。
【００７０】
更に、システム制御回路５０は、シャッタ制御部４０により直ちにシャッタ１２を開くことで（ステップＳ３０４）、撮像素子１４への露光を行う（ステップＳ３０５）。撮像素子１４への露光に伴い撮像素子１４において電荷が蓄積される。尚、撮像素子１４への露光を行う際の露光時間の上限は、撮像素子１４に結像した光学像を基に画像表示部２８に動画として表示するため、フレームレートにより決定される。
【００７１】
システム制御回路５０は、撮像素子１４における電荷の蓄積を終了した後（ステップＳ３０６）、撮像素子１４から撮像信号を読み出す（ステップＳ３０７）。更に、システム制御回路５０は、画像処理装置２０により測距値の演算と（ステップＳ３０８）、測光値（露光量）の演算を行うと共に（ステップＳ３０９）、現像を行う（ステップＳ３１０）。更に、システム制御回路５０は、画像表示部２８に動画を表示する（ステップＳ３１１）。尚、撮像素子１４に結像した光学像を動画として表示するためのフレームレートで、画像表示部２８に動画を表示する。
【００７２】
ここで、ＥＶＦ表示処理における上記ステップＳ３１１の詳細を図５に示す。システム制御回路５０は、ステップＳ３０９で演算した露光量に基づいて、静止画像の撮影で用いる絞り値（絞り情報）に応じた撮影レンズ３１０の周辺の光量低下を表す光量データを作成（取得）する（ステップＳ３１１１）。
【００７３】
次に、システム制御回路５０は、撮影レンズ周辺の光量低下を表す光量データに基づいて撮像素子１４に結像した光学像を画像処理し、撮影レンズ周辺の光量低下の様子をシミュレートした状態を動画として画像表示部２８に表示する（ステップＳ３１１２）。
【００７４】
このとき、絞り３１２を静止画像の撮影で用いる絞り値に設定されている必要はない。絞り値を静止画像の撮影時の値に設定していなくとも、あたかも、設定されているかのように光量低下を生じさせた光学像を画像表示部２８に表示している。つまり、動画表示中の絞り３１２の実際の絞り値とは独立して、別の絞り値における光量低下の様子を確認することができる。
【００７５】
また、システム制御回路５０は、撮影レンズ周辺の光量低下を表す光量データに基づいて、撮像素子１４の撮像信号を補正するための補正データを生成する。
【００７６】
尚、撮影レンズ周辺の光量低下の様子をシミュレートした状態の動画と、通常状態（シミュレートを行わない状態）の動画とを、画像表示部２８に交互に表示するようにしてもよい。また、撮像素子１４の撮像信号に補正データを加えた状態の動画と、補正データを加えない状態の動画とを、画像表示部２８に交互に表示するようにしてもよい。
【００７７】
また、撮像素子１４の撮像信号に補正データを加えた状態の動画と、補正データを加えない状態の動画とを、画像の拡大表示を行う時と画像の全体表示を行う時とで切り替えるようにしてもよい。例えば、拡大表示では補正を加えた状態を表示し、全体表示では補正を加えない状態を表示する、といった表示形態が考えられる。
【００７８】
図４に戻り、システム制御回路５０は、ステップＳ３０８で求めた測距値から撮影レンズ３１０が合焦しているか否かをチェックする（ステップＳ３１２）。撮影レンズ３１０が合焦していないならば、システム制御回路５０は、合焦位置からのずれ量に相当する分、撮影レンズ３１０を駆動する（ステップＳ３１３）。撮影レンズ３１０が合焦しているならば、ステップＳ３０９で求めた測光値に基づき、撮像素子１４の撮像面上の露光量が適正範囲内となっているか否かをチェックする（ステップＳ３１４）。
【００７９】
撮像素子１４の撮像面上の露光量が適正範囲外となっていたならば、システム制御回路５０は、画像表示部２８に表示する画像が適正な画像となるように適正画像出力条件を変更する（ステップＳ３１５）。適正画像出力条件とは、撮像素子１４における電荷蓄積を制御するための絞り３１２の絞り制御、撮像素子１４の電荷蓄積時間（電子シャッタ）の切り替え、撮像素子１４からの撮像信号の出力を増幅／減衰するためのゲインの切り替え、を含む。
【００８０】
撮像素子１４の撮像面上の露光量が適正範囲内となっていたならば、システム制御回路５０は、絞り込みスイッチ７４が操作されているか否か（ＯＮ／ＯＦＦ）をチェックする（ステップＳ３１６）。絞り込みスイッチ７４がＯＦＦであるならば、システム制御回路５０は、絞り３１２が固定されているか否かを確認するための絞り固定フラグをクリアする（ステップＳ３１７）。更に、システム制御回路５０は、画像表示部２８における被写体画像の表示を継続するか否かをチェックする（ステップＳ３２３）。
【００８１】
絞り込みスイッチ７４がＯＮであるならば、システム制御回路５０は、絞り固定フラグの状態をチェックする（ステップＳ３１８）。絞り３１２が既に所定の絞り値に絞られて固定となっていたならば、システム制御回路５０は、画像表示部２８における被写体画像の表示を継続するか否かをチェックする（ステップＳ３２３）。
【００８２】
絞り３１２がまだ絞られていないならば、システム制御回路５０は、絞り固定フラグをセットし（ステップＳ３１９）、絞り３１２を所定の絞り値に固定する絞り駆動を行う（ステップＳ３２０）。絞り３１２を所定の絞り値に固定することで、ＥＶＦ表示処理で表示される画像が適正となるように適正画像出力条件のパラメータが変更される。システム制御回路５０は、露光量の演算を再度行い（ステップＳ３２１）、画像表示部２８に表示する画像が適正な画像となるように適正画像出力条件を変更する（ステップＳ３２２）。
【００８３】
使用者が絞り込みスイッチ７４を操作することで期待するのは、ＥＶＦ機能の表示による被写界深度や背景のぼけ具合の確認である。ＥＶＦ機能で表示される画像に著しく露出超過や露出不足が生じている状態では、被写界深度や背景のぼけ具合の確認ができないので、ＥＶＦ機能で表示される画像は適正露出のものでなければならない。
【００８４】
そこで、具体的には、絞り３１２が絞られた後の絞り値がステップＳ３１５の適正画像出力条件の変更による絞り値よりも大きい場合（絞り込む条件）は、撮像素子１４に対する入射光量が減少する。従って、撮像素子１４から出力される撮像信号のゲインを上げたり、撮像素子１４の電荷蓄積時間を長くしたりする。
【００８５】
ただし、電荷蓄積時間の上限は、通常、フレームレートにより決定されるが、絞り込みスイッチ７４の操作により絞り値が固定された場合でゲイン切り替えでも適正画像が得られない場合には、次のように設定する。即ち、フレームレートにこだわらず適正画像が得られる電荷蓄積時間を設定する。
【００８６】
他方、絞り３１２が絞られた後の絞り値がステップＳ３１５の適正画像出力条件の変更による絞り値よりも小さい場合（絞りを開く条件）は、逆に、撮像素子１４から出力される撮像信号のゲインを下げたり、撮像素子１４の電荷蓄積時間を短くしたりする。
【００８７】
尚、撮像素子１４から出力される撮像信号のゲインは、撮像素子１４の出力段階、即ちアナログ信号の状態で調整するようにしてもよいし、デジタル信号に変換された状態で画像処理的に調整するようにしてもよい。
【００８８】
また、撮像素子１４の適正画像出力条件の変更は、シャッタ秒時及び絞り値を任意に設定できる撮影モードでは行わないようにしてもよい。
【００８９】
また、絞り３１２の絞り込みを行う場合には、絞り込みに伴う撮影レンズ３１０の周辺の光量の低下状態をシミュレートして画像表示部２８に表示するようにしてもよい。
【００９０】
このように適正画像が得られる条件を設定し、ステップＳ３２３でＥＶＦでの表示を継続する場合は、ステップＳ３０３に戻り、一連の動作を繰り返す。他方、ステップＳ３２３でＥＶＦ機能での表示を終了する場合は、システム制御回路５０は、シャッタ制御部４０によりシャッタ１２を閉じ（ステップＳ３２４）、ミラー駆動部（不図示）によりミラー１３０をミラーアップ位置から下降させる。更に、システム制御回路５０は、撮像素子１４における電荷の蓄積を終了し（ステップＳ３２６）、ＥＶＦ表示処理を終了する。
【００９１】
図６は、設定・表示・撮影・記録処理における撮影処理の詳細を示すフローチャートである。尚、撮影処理では、システム制御回路５０と絞り制御部３４０或いは測距制御部３４２との間の各種信号のやり取りは、インタフェース１２０、コネクタ１２２、コネクタ３２２、インタフェース３２０、レンズ制御部３５０を介して行われる。
【００９２】
図６において、システム制御回路５０は、ミラー駆動部（不図示）によりミラー１３０をミラーアップ位置に移動する（ステップＳ５０１）。これと共に、システム制御回路５０は、システム制御回路５０の内部メモリ或いはメモリ５２に記憶されている測光データに基づき、絞り制御部３４０により絞り３１２を所定の絞り値まで駆動する（ステップＳ５０２）。更に、システム制御回路５０は、撮像素子１４の電荷をクリアし（ステップＳ５０３）、撮像素子１４の電荷蓄積を開始する（ステップＳ５０４）。
【００９３】
次に、システム制御回路５０は、シャッタ制御部４０によりシャッタ１２を開き（ステップＳ５０５）、撮像素子１４の露光を開始する（ステップＳ５０６）。更に、システム制御回路５０は、撮影時にフラッシュ４８が必要か否かを示すフラッシュフラグに基づき、フラッシュ４８が必要か否かを判断する（ステップＳ５０７）。フラッシュ４８が必要な場合は、システム制御回路５０は、フラッシュ４８を発光させる（ステップＳ５０８）。更に、システム制御回路５０は、測光データに従って撮像素子１４の露光終了を待ち（ステップＳ５０９）、シャッタ制御部４０によりシャッタ１２を閉じ（ステップＳ５１０）、撮像素子１４の露光を終了する。
【００９４】
次に、システム制御回路５０は、絞り制御部３４０により絞り３１２を開放の絞り値まで駆動すると共に（ステップＳ５１１）、ミラー駆動部（不図示）によりミラー１３０をミラーダウン位置（ミラー下降位置）に移動する（ステップＳ５１２）。更に、システム制御回路５０は、撮像素子１４において設定した電荷蓄積時間が経過したか否かを判断する（ステップＳ５１３）。
【００９５】
設定した電荷蓄積時間が経過したならば（ステップＳ５１３）、システム制御回路５０は、撮像素子１４の電荷蓄積を終了した後（ステップＳ５１４）、撮像素子１４から電荷信号を読み出す。更に、システム制御回路５０は、Ａ／Ｄ変換器１６、画像処理回路２０、メモリ制御回路２２を介して、或いはＡ／Ｄ変換器１６から直接メモリ制御回路２２を介して、メモリ３０の所定領域への撮影画像データを書き込む（ステップＳ５１５）。一連の処理を終えたならば、図６の撮影処理ルーチン（図３のステップＳ１２９）を終了する。
【００９６】
以上説明したように本実施の形態によれば、撮像装置のシステム制御回路５０は撮像素子１４の露光量に基づいて絞り値に応じた撮影レンズ周辺の光量低下を表す光量データを作成し、光量データに基づいて撮像素子１４の撮像信号を補正する。更に、撮影レンズ周辺の光量低下の様子をシミュレートして画像表示部２８に表示する。これにより、下記の効果を奏する。
【００９７】
画像表示部２８における撮影前の被写体像を確認するためのライブビュー表示に対して、絞りの影響による撮影レンズ周辺の光量低下の様子をシミュレートして表示するため、使用者が実際に撮影される被写体の画像をイメージすることが可能となる。
【００９８】
また、撮像素子の出力信号の補正データを静止画像撮影時の絞り値に基づいて作成するため、静止画像撮影時の絞り値による撮影レンズ周辺の光量低下の様子を含めた表示により、使用者が実際に撮影される被写体の画像をイメージすることが可能となる。
【００９９】
また、撮像素子の出力信号に補正を加えた状態と補正を加えない状態とを交互に表示するため、使用者が補正を加えた状態と補正を加えない状態との差を容易に確認することが可能となる。
【０１００】
また、撮像素子の出力信号に補正を加えた状態と補正を加えない状態とを、拡大表示時と全体表示時とで切り替えて表示するため、使用者が実際に撮影される被写体の画像を表示形態（拡大表示時／全体表示）に応じてイメージすることが可能となる。
【０１０１】
また、絞り込みスイッチ７４により絞り３１２の絞り値が絞り込まれた場合、絞り込みに伴う撮影レンズ周辺の光量低下の様子をシミュレートして表示するため、使用者が絞り込みスイッチ７４を押下した状態の表示を確認することが可能となる。
【０１０２】
［他の実施の形態］
上記実施の形態では、撮像装置としてデジタル一眼レフカメラを例に挙げたが、本発明は、これに限定されるものではない。絞りを駆動するための絞り込み操作部材を備えたコンパクト系デジタルカメラ等にも本発明を適用することができる。
【０１０３】
また、本発明の目的は、以下の処理を実行することにより達成される。即ち、上述した実施の形態の機能を実現するソフトウェアのプログラムコードを記録した記憶媒体を、システム或いは装置に供給し、そのシステム或いは装置のコンピュータ(又はＣＰＵやＭＰＵ等)が記憶媒体に格納されたプログラムコードを読み出す処理である。
【０１０４】
この場合、記憶媒体から読み出されたプログラムコード自体が前述した実施の形態の機能を実現することになり、そのプログラムコード及び該プログラムコードを記憶した記憶媒体は本発明を構成することになる。
【０１０５】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【０１０６】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理により前述した実施の形態の機能が実現される場合も含まれる。
【０１０７】
更に、前述した実施の形態の機能が以下の処理により実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【０１０８】
【図１】本発明の実施の形態に係る撮像装置の構成を示すブロック図である。
【図２】撮像装置の設定・表示・撮影・記録処理の主ルーチンを示すフローチャートである。
【図３】設定・表示・撮影・記録処理の続きを示すフローチャートである。
【図４】設定・表示・撮影・記録処理におけるＥＶＦ表示処理の詳細を示すフローチャートである。
【図５】ＥＶＦ表示処理における画像表示処理の詳細を示すフローチャートである。
【図６】設定・表示・撮影・記録処理における撮影処理の詳細を示すフローチャートである。
【符号の説明】
【０１０９】
１４  撮像素子
２０  画像処理回路
２８  画像表示部
４２  測距部
４６  測光部
５０  システム制御回路
７４  絞り込みスイッチ
１０４  光学ファインダ
【図１】
2009182787.tif 000003
【図２】
2009182787.tif 000004
【図３】
2009182787.tif 000005
【図４】
2009182787.tif 000006
【図５】
2009182787.tif 000007
【図６】
2009182787.tif 000008